(57)【要約】【課題】加工性に富み、極めてシンプルな構造でなり、嵩張らず軽量であって、経済的にも安価であり、納棺の際に花茎部を持つ生花を柩内に整然として収めることができる納棺用花飾り装置を提供すること。【解決手段】納棺の際に、柩の中に収められる花飾り装置であって、主として、花茎部３を一体に持つ生花２と、前記生花の花茎部を差し込んで固定するための生花固定部材４とからなり、前記生花固定部材が、吸水性スポンジ材により形成され、前記吸水性スポンジ材の外周囲に漏水防止のための蝋コーティング層５を設けてなることを特徴とする納棺用花飾り装置。【選択図】図１
0003119274.tif 000002
【実用新案登録請求の範囲】
【請求項１】
納棺の際に、柩の中に収められる花飾り装置であって、主として、花茎部を一体に持つ生花と、前記生花の花茎部を差し込んで固定するための生花固定部材とからなり、前記生花固定部材が、吸水性スポンジ材により形成され、前記吸水性スポンジ材の外周囲に漏水防止のための蝋コーティング層を設けてなることを特徴とする納棺用花飾り装置。
【請求項２】
前記蝋コーティング層内に、香料を添加してなることを特徴とする請求項１に記載の納棺用花飾り装置。
【請求項３】
前記生花固定部材のための吸水性スポンジ材に、香料を添加してなることを特徴とする請求項１に記載の納棺用花飾り装置。
【考案の詳細な説明】
【技術分野】
【０００１】
この考案は、納棺の際に、柩の中に生花を収め、お通夜から告別式にいたる葬儀中、柩の中を整然と美しく、且つ、何らの支障もない状態で花飾りしておくための斬新な構成でなる納棺用花飾り装置に関するものである。
【背景技術】
【０００２】
周知のように、葬儀において柩内に献花する場合にあっては、喪主、親族並びに故人と特に親しかった人達が、祭壇や式場に飾られた生花を一輪ずつ柩の中に収め、故人のまわりを切花で囲うように飾って、故人との最後の別れを惜しんでいる。従来、このように柩の中を生花で飾ることは、葬儀の最後の段階で行われているものであり、納棺時には行われることは殆んどなかった。その理由として、柩内に収めた生花が最後の別れの時間帯までにいたんでしまい、柩の中を美しくしておくことが出来なかった点にある。
【０００３】
以上のことから、従来は、専ら上記するように葬儀の最後の段階で、故人との最後の別れを告げる際に、通常、祭壇や式場に飾られた生花の花弁部を切り落とし、これを柩の中に収めるものであった。このようにして柩の中に収める生花は、柩内における花弁の安定性が悪く、綺麗に献花することができなかった。
【考案の開示】
【考案が解決しようとする課題】
【０００４】
そこで、この考案は、加工性に富み、極めてシンプルな構造でなり、嵩張らず軽量であって、経済的にも安価であり、納棺の際に花茎部を持つ生花を柩内に整然として収めることができる納棺用花飾り装置を提供することにある。
【課題を解決するための手段】
【０００５】
この考案は、上記する目的を達成するにあたって、請求項１に記載の考案は、納棺の際に、柩の中に収められる花飾り装置であって、主として、花茎部を一体に持つ生花と、前記生花の花茎部を差し込んで固定するための生花固定部材とからなり、前記生花固定部材が、吸水性スポンジ材により形成され、前記吸水性スポンジ材の外周囲に漏水防止のための蝋コーティング層を設けてなることを特徴とする納棺用花飾り装置を構成するものである。
【０００６】
さらに、この考案において、請求項２に記載の考案は、請求項１に記載の納棺用花飾り装置であって、前記蝋コーティング層内に、香料を添加してなることを特徴とするものである。
【０００７】
さらにまた、この考案において、請求項３に記載の考案は、請求項１に記載の納棺用花飾り装置であって、前記生花固定部材のための吸水性スポンジ材に、香料を添加してなることを特徴とするものでもある。
【考案の効果】
【０００８】
この考案になる納棺用花飾り装置は、納棺の際に、柩の中に収められる花飾り装置であって、主として、花茎部を一体に持つ生花と、前記生花の花茎部を差し込んで固定するための生花固定部材とからなり、前記生花固定部材が、吸水性スポンジ材により形成され、前記吸水性スポンジ材の外周囲に漏水防止のための蝋層をコーティング形成してなるものであり、花茎部を持つ生花を柩内に整然として収めることができる点、極めてシンプルな構造でなり、嵩張らず軽量であって、経済的にも安価である点などにおいて極めて有効に作用するものといえる。
【０００９】
さらに、この考案になる納棺用花飾り装置は、吸水性スポンジ材ののまわりに蝋コーティング層を設けたことにより、納棺時にセットしたとしても、お通夜から葬儀の終了時まで、柩内への水漏れを確実に防止した状態で、整然と美しく確保しておくことができ、さらに、香料を添加しておくことにより、柩内に良い香りを確保しておくことができるなど
の点においても極めて有効に作用するものといえる。
【考案を実施するための最良の形態】
【００１０】
以下、この考案になる納棺用花飾り装置について、図面に示す具体的な実施例に基づいて詳細に説明する。図１は、この考案になる納棺用花飾り装置の具体的な一実施例を示す概略的な側面図であり、図２は、当該納棺用花飾り装置における生花固定部材の一例を示す概略的な断面図である。
【００１１】
この考案になる納棺用花飾り装置１は、納棺の際に、柩６の中に収められる花飾り装置であり、主として、花茎部３を一体に持つ生花２と、前記生花２の花茎部３を差し込んで固定するための生花固定部材４とからなっている。この考案において、前記生花固定部材４は、吸水性スポンジ材により形成されるものであり、前記吸水性スポンジ材の外周囲に漏水防止のための蝋コーティング層５を設けたものからなっている。
【００１２】
前記生花固定部材のための吸水性スポンジ材は、フローラルフォームとして知られているものであって、軽量であって、加工性に富み、安定感のある形状の生花固定部材を簡単に形成でき、吸水性を有することから、生花を瑞瑞しい状態で維持することができる。なお、この考案では、前記吸水性スポンジ材の外周囲を漏水防止のための蝋コーティング層５が設けてあるので、柩内への漏水の心配はない。
【００１３】
さらに、前記蝋コーティング層５を形成する蝋材のなかに、香料を添加しておくこともでき、あるいは、前記生花固定部材のための吸水性スポンジ材のなかに、香料を添加しておくことができる。このように構成することによって、柩内を良い香で充満させておくことができ、お通夜から告別式にかけて有効に作用するものである。
【００１４】
なお、この考案になる納棺用花飾り装置は、前記生花固定部材が加工性に富む吸水性スポンジ材によるものであり、図２に示すように、異なる高さ寸法ｈ１、ｈ２などを準備しておくことができるので、柩内での高さ調節を自由に設定することができる点においても有効に作用するものといえる。この吸水性スポンジ材でなる生花固定部材は、適宜形状のものとして極めて簡単に形成でき、当該吸水性スポンジ材の素材色の組み合わせ、蝋コーティング層５の素材色の組み合わせなどによって、故人を偲ぶ多種多用の装飾効果をも期待できるという作用効果を奏する。
【図面の簡単な説明】
【００１５】
【図１】図１は、この考案になる納棺用花飾り装置の具体的な一実施例を示す概略的な側面図である。
【図２】図２は、当該納棺用花飾り装置における生花固定部材の一例を示す概略的な断面図である。
【符号の説明】
【００１６】
１  納棺用花飾り装置
２  生花
３  花茎部
４  生花固定部材
５  蝋コーティング層
６  柩
【図１】
0003119274.tif 000003
【図２】
0003119274.tif 000004